(57)【要約】【課題】電解コンデンサの圧力弁の機能を妨げることなく、電解コンデンサを含む点灯回路を冷却または絶縁する充填部材を備えた照明ランプ、この照明ランプを備えた照明装置、およびこの照明ランプの製造方法を得る。【解決手段】光源１と、光源１から出射される光を透過させる透光性のグローブ２と、少なくとも電解コンデンサ５０１が実装され、口金部４を経由して供給される商用電力を、光源１を駆動する駆動電力に変換して光源１に供給する点灯回路５と、内部に点灯回路５を保持し、グローブ２および口金部４と嵌合して内部空間を形成する筐体部３と、電解コンデンサ５０１の圧力弁９を除く外面の少なくとも一部と筐体部３の内面との間に保持され、筐体部３の内部空間を、圧力弁９が内包される第一内部空間１２と圧力弁９が内包されない第二内部空間１３とに分ける封止部材７と、第二内部空間１３に充填される熱伝導性の充填部材６とを備えた。【選択図】図３
2014203727.tif 000002
【特許請求の範囲】
【請求項１】
光源と、
前記光源の出射側を覆い、前記光源から出射される光を透過させる透光性のグローブと、
少なくとも電解コンデンサが実装され、口金を経由して供給される商用電力を、前記光源を駆動する駆動電力に変換して前記光源に供給する点灯回路と、
内部に前記点灯回路を保持し、前記グローブおよび前記口金と嵌合して内部空間を形成する筐体部と、
前記電解コンデンサの圧力弁を除く外面の少なくとも一部と前記筐体部の内面との間に保持され、前記筐体部の内部空間を、前記圧力弁が内包される第一内部空間と前記圧力弁が内包されない第二内部空間とに分ける封止部材と、
前記第二内部空間に充填される熱伝導性の充填部材とを備えた
ことを特徴とする照明ランプ。
【請求項２】
前記封止部材は弾性を有し、前記圧力弁を除く外面の少なくとも一部と、前記筐体部の内面とに密着して、前記筐体部の内部空間を、前記第一内部空間と前記第二内部空間とに分ける
ことを特徴とする請求項１記載の照明ランプ。
【請求項３】
前記第一内部空間には、熱伝導性の充填部材が充填されない
ことを特徴とする請求項１または請求項２に記載の照明ランプ。
【請求項４】
前記筐体部の内面には、前記封止部材の前記第一内部空間側への移動を規制する係止部が形成されている
ことを特徴とする請求項１〜請求項３のいずれか一項に記載の照明ランプ。
【請求項５】
前記係止部は、前記筐体部の内部空間の内径を拡大するように凹んだ凹部を有し、
前記凹部の内部に、前記封止部材が嵌合している
ことを特徴とする請求項４記載の照明ランプ。
【請求項６】
前記係止部は、前記筐体部の内面から径方向内側に向かって突出し、前記封止部材の前記第一内部空間側の端部に当接する凸部を有する
ことを特徴とする請求項４記載の照明ランプ。
【請求項７】
前記係止部は、前記第一内部空間の内径が前記第二内部空間の内径よりも大きくなるように前記筐体部の内面に形成された段差状の受部を備え、
前記封止部材の前記第一内部空間側の端部は、前記受部に当接する
ことを特徴とする請求項４記載の照明ランプ。
【請求項８】
前記圧力弁と、当該圧力弁と対向する前記筐体部の内面との間には、前記圧力弁の開放を妨げない間隙を有する
ことを特徴とする請求項１〜請求項７のいずれか一項に記載の照明ランプ。
【請求項９】
前記電解コンデンサは、前記筐体部の内部空間の前記口金側に内包される
ことを特徴とする請求項１〜請求項８のいずれか一項に記載の照明ランプ。
【請求項１０】
前記光源は、発光手段としてＬＥＤを備えた
ことを特徴とする請求項１〜請求項９のいずれか一項に記載の照明ランプ。
【請求項１１】
前記光源は、発光手段としてレーザーダイオードを備えた
ことを特徴とする請求項１〜請求項９のいずれか一項に記載の照明ランプ。
【請求項１２】
前記光源は、発光手段として有機ＥＬを備えた
ことを特徴とする請求項１〜請求項９のいずれか一項に記載の照明ランプ。
【請求項１３】
前記光源は、発光手段として蛍光ランプを備えた
ことを特徴とする請求項１〜請求項９のいずれか一項に記載の照明ランプ。
【請求項１４】
請求項１〜請求項１３のいずれか一項に記載の照明ランプを備えた照明装置。
【請求項１５】
光源と、
前記光源の出射側を覆い、前記光源から出射される光を透過させる透光性のグローブと、
少なくとも電解コンデンサが実装され、口金を経由して供給される商用電力を、前記光源を駆動する駆動電力に変換して前記光源に供給する点灯回路と、
内部に前記点灯回路を保持し、前記グローブおよび前記口金と嵌合して内部空間を形成する筐体部と、
前記筐体部の内部空間の前記点灯回路の周囲に充填される熱伝導性の充填部材とを備える照明ランプの製造方法であって、
前記電解コンデンサの圧力弁を除く外面の少なくとも一部と前記筐体部の内面とで、封止部材を保持し、前記封止部材を境界として、前記筐体部の内部空間を前記電解コンデンサの圧力弁が内包される第一内部空間と第二内部空間とに分ける工程と、
前記第二内部空間に、前記充填部材を充填する工程とを有する
ことを特徴とする照明ランプの製造方法。
【請求項１６】
前記圧力弁と、当該圧力弁と対向する前記筐体部の内面との間に、前記圧力弁の開放を妨げない間隙を設けて、前記点灯回路を前記筐体部の内部に配設する工程を有する
ことを特徴とする請求項１５記載の照明ランプの製造方法。
【発明の詳細な説明】
【技術分野】
【０００１】
本発明は、照明ランプ、照明ランプを備えた照明装置、および照明ランプの製造方法に関する。
【背景技術】
【０００２】
従来、電子回路の冷却と絶縁のいずれかまたは両方を目的とした充填部材の充填技術が提案されている。
例えば、「制御基板とは電気的に接続されるとともにケース体内に横置きにして配置される平滑用のコンデンサと、このコンデンサの端部に設けられる防爆弁に対する空間部であり、防爆弁作動機能を確保する手段と、上記ケース体内に樹脂材を充填し、少なくとも上記整流回路とインバータスイッチング回路および上記制御基板を上記ケース体に対して樹脂封止（ポッティング）する樹脂封止手段と」を具備したインバータ制御装置であって、「防爆弁作動機能を確保する手段」として、「コンデンサの周囲を囲んで樹脂材の侵入を阻止する仕切り体」を用いた技術が開示されている（例えば、特許文献１参照）。
【０００３】
また、「防爆弁を有する入力側平滑電解コンデンサ及び出力側平滑電解コンデンサを備えた電気部品が搭載された回路用基板をケースに収納し、前記ケース内に溶融したモールド用樹脂を充填させて前記電気部品をモールド被覆形成したスイッチング直流電源」であって、「平滑電解コンデンサの筒状部の側面を一括するように設けられると共に、上端が前記平滑電解コンデンサの上面部より高くなるようにバリアが形成」されたものが開示されている（例えば、特許文献２参照）。
【０００４】
また、「蛍光ランプを点灯させる点灯回路を構成する複数個の電子部品およびこれらの電子部品が電解コンデンサを中央部に配して実装された回路基板を有し、カバー体内に収容された点灯装置と；点灯装置の複数個の電子部品のうち発熱温度の高い電子部品を被覆するとともに点灯装置の回路基板よりも口金側のカバー体内面ならびに回路基板面に接触するようにカバー体内側に充填され、熱伝導率が０．１Ｗ／（ｍ・ｋ）以上である熱伝導性物質と」を具備した電球形蛍光ランプが開示されている（例えば、特許文献３参照）。
【先行技術文献】
【特許文献】
【０００５】
【特許文献１】特開２００１−０４１４９９号公報（請求項１、請求項３、図４、図５、図１０）
【特許文献２】特開２００７−２７４７５１号公報（請求項１、請求項２、図２）
【特許文献３】特許第４４２１１７７号公報（請求項１、実施の形態３、図１）
【発明の概要】
【発明が解決しようとする課題】
【０００６】
特許文献１、２に記載の構成を用いると、電解コンデンサの圧力弁（防爆弁）の機能を妨げることなく充填部材を充填することが可能となり、電解コンデンサ以外の電気部品を冷却（放熱）することができる。しかしながら、電解コンデンサには充填部材が一切接触していないため、電解コンデンサの冷却（放熱）という観点で課題が残る。
特に特許文献２には、「バリア」が断熱材で形成される旨の記載があり、そうすると電解コンデンサの冷却（放熱）という課題が解決できない。
【０００７】
また、特許文献１、２に記載の技術は、回路部品が実装された基板及び電解コンデンサがケース内に配設されており、このケースに係る製造コストが増大してしまう。
特に特許文献１に記載の「仕切り体」（の少なくとも一部）は、そのケースを用いることを前提としたものである。したがって、装置の仕様に基づいて選択される電解コンデンサの外形寸法に応じて複数種類のケースを作成する必要があり、製造コストをより増大させる。
【０００８】
特許文献３には、電解コンデンサの圧力弁（安全弁）を塞がない程度にシリコーン樹脂を充填する旨の記載があるものの、その具体的な構成には言及されていない。つまり、特許文献３には、電解コンデンサの圧力弁（安全弁）の機能を妨げることなく、電解コンデンサを含む電子部品を冷却（放熱）する具体的な構成が開示されているとはいえない。
【０００９】
本発明は、上記のような課題を背景としてなされたものであり、電解コンデンサの圧力弁（安全弁及び防爆弁と同義）の機能を妨げることなく、電解コンデンサを含む点灯回路を冷却または絶縁する充填部材を備えた照明ランプ、この照明ランプを備えた照明装置、およびこの照明ランプの製造方法を提供するものである。
【課題を解決するための手段】
【００１０】
本発明に係る照明ランプは、光源と、前記光源の出射側を覆い、前記光源から出射される光を透過させる透光性のグローブと、少なくとも電解コンデンサが実装され、口金を経由して供給される商用電力を、前記光源を駆動する駆動電力に変換して前記光源に供給する点灯回路と、内部に前記点灯回路を保持し、前記グローブおよび前記口金と嵌合して内部空間を形成する筐体部と、前記電解コンデンサの圧力弁を除く外面の少なくとも一部と前記筐体部の内面との間に保持され、前記筐体部の内部空間を、前記圧力弁が内包される第一内部空間と前記圧力弁が内包されない第二内部空間とに分ける封止部材と、前記第二内部空間に充填される熱伝導性の充填部材とを備えたものである。
【００１１】
本発明に係る照明装置は、前記照明ランプを備えたものである。
【００１２】
本発明に係る照明ランプの製造方法は、光源と、前記光源の出射側を覆い、前記光源から出射される光を透過させる透光性のグローブと、少なくとも電解コンデンサが実装され、口金を経由して供給される商用電力を、前記光源を駆動する駆動電力に変換して前記光源に供給する点灯回路と、内部に前記点灯回路を保持し、前記グローブおよび前記口金と嵌合して内部空間を形成する筐体部と、前記筐体部の内部空間の前記点灯回路の周囲に充填される熱伝導性の充填部材とを備える照明ランプの製造方法であって、前記電解コンデンサの圧力弁を除く外面の少なくとも一部と前記筐体部の内面とで、封止部材を保持し、前記封止部材を境界として、前記筐体部の内部空間を前記電解コンデンサの圧力弁が内包される第一内部空間と第二内部空間とに分ける工程と、前記第二内部空間に、前記充填部材を充填する工程とを有するものである。
【発明の効果】
【００１３】
本発明によれば、電解コンデンサの圧力弁の機能を妨げることなく、筐体部内の点灯回路の周囲に充填部材を充填することができる。
【図面の簡単な説明】
【００１４】
【図１】実施の形態１の照明ランプの主要部の構成を示す断面図である。
【図２】実施の形態１に係る照明装置の主要部の拡大断面図である。
【図３】（ａ）は実施の形態１に係る照明装置の主要部の断面図、（ｂ）は（ａ）のＡ−Ａ線における断面図である。
【図４】実施の形態２に係る照明ランプの主要部の構成を示す断面図である。
【図５】実施の形態３に係る照明ランプの主要部の構成を示す断面図である。
【図６】実施の形態４に係る照明ランプの主要部の構成を示す断面図である。
【図７】実施の形態１〜実施の形態４に係る照明ランプが適用された照明装置の構成を示す断面図である。
【発明を実施するための形態】
【００１５】
以下、本発明の実施の形態を、図面に基づいて説明する。なお、以下に示す図面の形態によって本発明が限定されるものではない。また、各図において、同一の構成には同一の符号を付している。
【００１６】
実施の形態１．
図１は、実施の形態１の照明ランプの主要部の構成を示す断面図である。
図１に示すように、照明ランプ１００は、光源１、グローブ２、筐体部３、口金部４、および点灯回路５を有する電球形の照明ランプである。
【００１７】
実施の形態１において、光源１は、発光手段である発光ダイオード（Ｌｉｇｈｔ  Ｅｍｉｔｔｉｎｇ  Ｄｉｏｄｅ。以下、ＬＥＤ）１０と、ＬＥＤ１０が実装されるＬＥＤ基板１１とを備えている。光源１の構成要素には、ＬＥＤ１０とＬＥＤ基板１１のほか、点灯回路５と電気的に接続され駆動電力を点灯回路５から光源１に伝達するワイヤーハーネスやコネクタなどの配線部材（図示せず）、ＬＥＤ基板１１を筐体部３に取り付ける螺子などの取り付け部材（図示せず）、および照明ランプ１００の設計仕様に応じて必要となる電子部品などが含まれる。
【００１８】
グローブ２は、例えばガラスや樹脂などの光源１から出射される光が透過する素材（透光性を有する素材）で構成され、光源１の光の出射側を覆うように配設されている。グローブ２を構成する樹脂としては、例えばポリカーボネートやアクリルなどが製品仕様に応じて選択される。グローブ２は、図１の例では、外形が曲面形状である。グローブ２は、透光性を有し光源１から出射される光を透過させるとともに、照明ランプ１００の仕様に応じて、光を拡散、集光、反射させる機能を併せ持つ。これらの機能は、グローブ２の基材であるガラスまたは樹脂を成形する際に拡散層（あるいは面）、レンズ、反射層（あるいは面）などを形成して基材自身で直接的に実現してもよいし、基材の表面にそれらの機能を実現する別部材を組み合わせて構成してもよい。
【００１９】
筐体部３は、内部に点灯回路５を収納する樹脂筐体３０と、樹脂筐体３０の外側に取り付けられる金属筐体３１とを備える。樹脂筐体３０は、プラスチックなどの合成樹脂素材を用いて成形される。樹脂筐体３０は、内部に空間を有するとともに、点灯回路５が挿入される開口部が形成されている。樹脂筐体３０の内部には、点灯回路５が有する回路部品５０の回路基板５０２を保持する保持構造（図示せず）が形成されている。樹脂筐体３０の内面と、点灯回路５が具備する回路部品５０との間には、保持構造によって保持される回路基板５０２を除いて、所定の間隙が形成されている。つまり、回路部品５０に機械的応力が加わらないように、点灯回路５は樹脂筐体３０の内部空間に内包保持されている。
【００２０】
口金部４は、一端が照明器具（例えばソケット。図示せず。）に嵌合する構造を有しており、照明器具経由で商用電力を照明ランプ１００に入力する入力端である。また、口金部４の他端は、筐体部３に嵌合し、商用電源は口金部４を介して点灯回路５に供給される。
【００２１】
図１の例では、金属筐体３１の口金部４とは反対側の端面に光源１が取り付けられており、この光源１の光の出射面を覆うようにして金属筐体３１にグローブ２が取り付けられる。樹脂筐体３０および金属筐体３１を有する筐体部３とグローブ２とが組み合わさると、これらは全体として電球形の外形をなす。また、筐体部３は、一端側においてグローブ２と嵌合するとともに、他端側において口金部４と嵌合し、筐体部３の内部には点灯回路５を収容する内部空間を形成される。
【００２２】
点灯回路５は、商用電力である交流からＬＥＤ１０を駆動する直流に変換するＡＣ−ＤＣコンバータ回路を有する。点灯回路５は、口金部４から入力された商用電力を、光源１を駆動する駆動電力に変換して、駆動電力を光源１に供給する。好ましくは、点灯回路５は、ＬＥＤ１０を安定駆動するために、負荷変動の検出機能、負荷変動に応じてＡＣ−ＤＣコンバータ回路から出力される駆動電流を制御する制御機能、商用電力の供給経路を介して流入および／または流出するノイズを除去または低減するフィルタ機能などをさらに有する。本実施の形態では、点灯回路５が有するこれらの機能を実現する部品のうち、電解コンデンサ５０１と、少なくともこの電解コンデンサ５０１が実装される回路基板５０２とを、回路部品５０と総称する。なお、もちろん、この回路部品５０に電解コンデンサ５０１の部品が実装されていてもよい。
【００２３】
実施の形態１の照明ランプ１００において、電解コンデンサ５０１は、入力される商用電力を平滑したり、光源１の発光手段であるＬＥＤ１０を駆動するために光源１に供給される駆動電力の脈流を低減したりする機能を有している。光源１に安定した直流電力を供給することにより、安定した発光を実現する効果を奏する。
【００２４】
電解コンデンサ５０１の外形寸法は、照明ランプ１００の設計仕様に応じて決定される電解コンデンサ５０１の容量値や電圧仕様などに依存する。
【００２５】
また、実施の形態１の照明ランプ１００において、電解コンデンサ５０１は、筐体部３の内部空間の口金部４側に内包されている。この配置は、照明ランプ１００の小型化に伴う寸法上の制約と、主要な発熱源である光源１から離間することによる電解コンデンサ５０１の動作信頼性を向上させる目的と、を考慮した場合に好適な配置である。
【００２６】
なお、光源１がＬＥＤ以外の発光手段を有する構成の場合などは、電解コンデンサ５０１が別の用途や機能を有する場合もあるが、詳述は割愛する。
【００２７】
図２は、実施の形態１に係る照明装置の主要部の拡大断面図である。
図２に示すように、電解コンデンサ５０１の端部には、圧力弁９が設けられている。圧力弁９は、例えば高温化などによって電解コンデンサ５０１の内部の圧力が所定値以上になると開放して、内部のガスを外部に排出する機能を有する。電解コンデンサ５０１は、この圧力弁９が樹脂筐体３０の内面と対向するようにして、樹脂筐体３０の内部に収容されている。ここで、樹脂筐体３０の内面のうち、圧力弁９と対向する面を、筐体内面３０１と称する。圧力弁９とこれに対向する樹脂筐体３０の筐体内面３０１との間隙Ｄは、電解コンデンサ５０１の圧力弁９の機能を妨げない所定の大きさに設定される。
【００２８】
照明ランプ１００の製造工程のうち、電解コンデンサ５０１が実装された点灯回路５を樹脂筐体３０の内部に配設する工程においては、筐体内面３０１と電解コンデンサ５０１の圧力弁９との間に間隙Ｄを有するようにして、点灯回路５が設置される。間隙Ｄの大きさは、電解コンデンサ５０１の外形寸法や圧力弁９の寸法などの部品仕様と、電解コンデンサ５０１の回路基板５０２への載置位置や電解コンデンサ５０１のリードフォーミング寸法、樹脂筐体３０に形成する回路基板５０２を保持する保持構造など（図示せず）の設計仕様と、を勘案して設定される。
【００２９】
図３（ａ）は、実施の形態１に係る照明装置の主要部の断面図、図３（ｂ）は、図３（ａ）のＡ−Ａ線における断面図である。
図３（ａ）および図３（ｂ）に示すように、実施の形態１では、樹脂筐体３０の内部は筒状であり、樹脂筐体３０の筒状の内周面と、電解コンデンサ５０１の外周面との間隙には、全周に渡って封止部材７が配設されている。ここで、樹脂筐体３０の筒状の内面を筐体内面３０２と区別して称する。
【００３０】
封止部材７は、弾性（体積弾性と形状弾性のいずれかまたは両方）を有する樹脂製のシールである。封止部材７は、電解コンデンサ５０１の外面のうち圧力弁９を除く外面の少なくとも一部と、樹脂筐体３０の筐体内面３０２との間に保持されており、これらに密着している。図３（ｂ）に示すように、筐体内面３０２と電解コンデンサ５０１の外周面との間は、封止部材７で埋められていて隙間がない。
【００３１】
封止部材７の具体的構成、および照明ランプ１００の製造工程のうち封止部材７を取り付ける工程としては、例えば次のようなものが挙げられる。
例えば、封止部材７はゴム製であり、点灯回路５が筐体部３の内部空間に内包保持される工程よりも前に、封止部材７が電解コンデンサ５０１に取り付ける工程が設けられる。その後、封止部材７が取り付けられた電解コンデンサ５０１を含む点灯回路５を、筐体部３の内部空間に収容する工程が設けられ、封止部材７は樹脂筐体３０の筐体内面３０２に密着させられる。
あるいは、封止部材７は、例えばゲル状の硬化性樹脂であって、点灯回路５が筐体部３の内部空間に内包保持される工程の後に、電解コンデンサ５０１の外面と樹脂筐体３０の筐体内面３０２との間隙部分に封止部材７を充填する工程が設けられる。
なお、封止部材７の具体的な材料は上記のものに限定されない。
【００３２】
樹脂筐体３０の内部空間は、封止部材７を境界として２つの空間に分離されている。樹脂筐体３０の内部空間は、電解コンデンサ５０１の圧力弁９が内包される空間である第一内部空間１２と、第一内部空間１２の他方の空間（すなわち、電解コンデンサ５０１の圧力弁９を内包しない空間）である第二内部空間１３とに分離構成される。言い替えると、封止部材７は、樹脂筐体３０の内部空間を、電解コンデンサ５０１の圧力弁９を内包する第一内部空間１２と、電解コンデンサ５０１の圧力弁９を内包しない第二内部空間１３とに分離するようにして、設置されている。
【００３３】
第二内部空間１３内の少なくとも一部には、充填部材６が充填されている。充填部材６は、熱伝導性と絶縁性のいずれかまたは両方の性質を有する材料で構成されている。充填部材６は、図３（ａ）において封止部材７の紙面上側の第二内部空間１３にのみ充填され、第二内部空間１３内に配置された点灯回路５の一部の周囲を埋めている。点灯回路５に実装されたＡＣ−ＤＣコンバータ回路の発熱や、光源１から伝達される発熱は、充填部材６から樹脂筐体３０や金属筐体３１などを経由して、照明ランプ１００の外部へ伝達される。すなわち、点灯回路５に実装された回路に接触する充填部材６を設けることで、光源１および点灯回路５の冷却が促進される。
【００３４】
充填部材６は、点灯回路５が筐体部３内に収容される工程、および電解コンデンサ５０１の外面と樹脂筐体３０の筐体内面３０２との間に封止部材７が取り付けられる工程の後に、第二内部空間１３内に充填される。第一内部空間１２は、封止部材７を境界として第二内部空間１３とは分離されているため、充填部材６は封止部材７を越えて第一内部空間１２内に侵入しない。すなわち、第二内部空間１３内に充填部材６を充填する工程において第二内部空間１３に充填部材６が充填されても、第一内部空間１２に内包される電解コンデンサ５０１の圧力弁９には充填部材６が接触しない。このため、電解コンデンサ５０１の圧力弁９の機能を充填部材６が妨げることがない。
【００３５】
なお、封止部材７として発泡ウレタンや発泡エポキシに代表される発泡樹脂を用いると、断熱効果を有する空間の境界として機能する。また、電解コンデンサ５０１の外面を放熱経路として機能させる必要がなく、電解コンデンサ５０１と主要な発熱源である光源１に隣接している第二内部空間１３との断熱を優先させる場合には、発泡樹脂を用いた境界を第二内部空間１３側に配設し、電解コンデンサ５０１の外面の多くの領域を第一内部空間１２に内包させると好適である。
【００３６】
（実施の形態１の効果）
実施の形態１によれば、照明ランプ１００の光源１や電解コンデンサ５０１を含む点灯回路５の周囲にこれを冷却する充填部材６が充填されても、充填部材６は封止部材７にせき止められて電解コンデンサ５０１の圧力弁９を内包する第一内部空間１２内には侵入しない。このため、電解コンデンサ５０１の圧力弁９には充填部材６が接触せず、電解コンデンサ５０１の圧力弁９の機能が妨げられることがない。そして、照明ランプ１００の光源１や電解コンデンサ５０１を含む点灯回路５の周囲に充填部材６を充填しているので、充填部材６の冷却効果を確保できる。したがって、電解コンデンサ５０１の動作信頼性および寿命が改善できるほか、照明ランプ１００の動作品質も確保できる。
【００３７】
実施の形態２．
図４は、実施の形態２に係る照明ランプの主要部の構成を示す断面図である。実施の形態２では、前述の実施の形態１との相違点を中心に説明する。
図４に示すように、封止部材７ａの外面と接触する樹脂筐体３０ａの筐体内面３０２には、凹部３０３が形成されている。この凹部３０３は、筐体内面３０２の径を拡大するように径方向外側に向かって筐体内面３０２を凹ませて形成されている。樹脂筐体３０ａの軸方向における凹部３０３の長さと、封止部材７ａの長さとは、概ね一致しており、凹部３０３に封止部材７ａが嵌合している。樹脂筐体３０ａの軸方向における封止部材７ａの両端部は、同じく樹脂筐体３０ａの軸方向における凹部３０３の両端部に接触しており、封止部材７ａは、凹部３０３によって軸方向に位置決めされている。
【００３８】
前述の実施の形態１では、封止部材７の弾性を利用して封止部材７が樹脂筐体３０の筐体内面３０２に密着する構成であり、封止部材７が取り付けられた樹脂筐体３０の第一内部空間１２に充填部材６が充填されても封止部材７が移動しないようになっていた。一方、実施の形態２では、実施の形態１と同様に封止部材７ａの弾性を利用することに加えて、凹部３０３と封止部材７ａとの嵌合構造によって封止部材７ａが樹脂筐体３０に取り付けられる。すなわち、凹部３０３は、封止部材７ａの第一内部空間１２側への移動を規制する係止部として機能している。
【００３９】
（実施の形態２の効果）
実施の形態２によれば、照明ランプ１００の光源１や電解コンデンサ５０１を含む点灯回路５の周囲にこれを冷却する充填部材６が充填されても、充填部材６は封止部材７ａにせき止められて電解コンデンサ５０１の圧力弁９を内包する第一内部空間１２内には侵入しない。このため、電解コンデンサ５０１の圧力弁９には充填部材６が接触せず、電解コンデンサ５０１の圧力弁９の機能が妨げられることがない。そして、照明ランプ１００の光源１や電解コンデンサ５０１を含む点灯回路５の周囲に充填部材６を充填しているので、充填部材６の冷却効果を確保できる。したがって、電解コンデンサ５０１の動作信頼性および寿命が改善できるほか、照明ランプ１００の動作品質も確保できる。
【００４０】
また、筐体内面３０２に、封止部材７ａの第一内部空間１２側への移動を規制する係止部として凹部３０３を設け、この凹部３０３に封止部材７ａを嵌合させた。このため、封止部材７ａが樹脂筐体３０に取り付けられた後に、第二内部空間１３に充填部材６が充填されて充填部材６からの圧力が封止部材７ａに加わっても、封止部材７ａが第一内部空間１２側に移動することを抑制することができる。したがって、充填部材６が充填されたときの圧力で封止部材７ａが圧力弁９側に移動してしまうことによる製造不良を抑制できる。
【００４１】
実施の形態３．
図５は、実施の形態３に係る照明ランプの主要部の構成を示す断面図である。実施の形態３では、前述の実施の形態２との相違点を中心に説明する。
図５に示すように、樹脂筐体３０ｂの筐体内面３０２には、筐体内面３０２の径方向内側に向かって突出する凸部３０４が形成されている。凸部３０４は、第一内部空間１２内に位置しており、凸部３０４の第二内部空間１３側の端部に、封止部材７の第一内部空間１２側の端部が当接する。封止部材７は、凸部３０４によって第一内部空間１２方向への位置決めがなされている。すなわち、凸部３０４は、封止部材７の第一内部空間１２側への移動を規制する係止部として機能している。
【００４２】
（実施の形態３の効果）
実施の形態３によれば、照明ランプ１００の光源１や電解コンデンサ５０１を含む点灯回路５の周囲にこれを冷却する充填部材６が充填されても、充填部材６は封止部材７にせき止められて電解コンデンサ５０１の圧力弁９を内包する第一内部空間１２内には侵入しない。このため、電解コンデンサ５０１の圧力弁９には充填部材６が接触せず、電解コンデンサ５０１の圧力弁９の機能が妨げられることがない。そして、照明ランプ１００の光源１や電解コンデンサ５０１を含む点灯回路５の周囲に充填部材６を充填しているので、充填部材６の冷却効果を確保できる。したがって、電解コンデンサ５０１の動作信頼性および寿命が改善できるほか、照明ランプ１００の動作品質も確保できる。
【００４３】
また、筐体内面３０２に、封止部材７の第一内部空間１２側への移動を規制する係止部として、凸部３０４を設けた。このため、封止部材７が樹脂筐体３０に取り付けられた状態で、第二内部空間１３に充填部材６が充填されて充填部材６からの圧力が封止部材７に加わったときに、封止部材７が第一内部空間１２側に移動することを抑制することができる。したがって、充填部材６が充填されたときの圧力で封止部材７が圧力弁９側に移動してしまうことによる製造不良を抑制できる。
【００４４】
実施の形態４．
図６は、実施の形態４に係る照明ランプの主要部の構成を示す断面図である。実施の形態４では、前述の実施の形態２との相違点を中心に説明する。
図６に示すように、樹脂筐体３０ｃの筐体内面３０２には、第二内部空間１３側に対して第一内部空間１２側の内径の方が大きくなるように段差が形成されている。段差部分を、受部３０５と称する。この受部３０５の第二内部空間１３側の端部に、封止部材７の第一内部空間１２側の端部が当接する。封止部材７は、受部３０５によって第一内部空間１２方向への位置決めがなされている。すなわち、受部３０５は、封止部材７の第一内部空間１２側への移動を規制する係止部として機能している。
【００４５】
（実施の形態４の効果）
実施の形態４によれば、照明ランプ１００の光源１や電解コンデンサ５０１を含む点灯回路５の周囲にこれを冷却する充填部材６が充填されても、充填部材６は封止部材７にせき止められて電解コンデンサ５０１の圧力弁９を内包する第一内部空間１２内には侵入しない。このため、電解コンデンサ５０１の圧力弁９には充填部材６が接触せず、電解コンデンサ５０１の圧力弁９の機能が妨げられることがない。そして、照明ランプ１００の光源１や電解コンデンサ５０１を含む点灯回路５の周囲に充填部材６を充填しているので、充填部材６の冷却効果を確保できる。したがって、電解コンデンサ５０１の動作信頼性および寿命が改善できるほか、照明ランプ１００の動作品質も確保できる。
【００４６】
また、筐体内面３０２に、封止部材７の第一内部空間１２側への移動を規制する係止部として、段差状の受部３０５を設けた。このため、封止部材７が樹脂筐体３０に取り付けられた状態で、第二内部空間１３に充填部材６が充填されて充填部材６からの圧力が封止部材７に加わったときに、封止部材７が第一内部空間１２側に移動することを抑制することができる。したがって、充填部材６が充填されたときの圧力で封止部材７が圧力弁９側に移動してしまうことによる製造不良を抑制できる。
【００４７】
なお、図３〜図６で示した封止部材の筐体部への取付構造は一例である。封止部材が電解コンデンサの圧力弁を塞がず、電解コンデンサの耐熱性能に見合った電解コンデンサの冷却効果または発熱源からの断熱効果が得られ、圧力弁が収容された第一内部空間に充填部材が侵入しない構成であれば、封止部材の取付構造は任意のものを採用することができる。
【００４８】
また、上記実施の形態１〜実施の形態４では、照明ランプの光源としてＬＥＤを用いた例を示したが、光源はＬＥＤに限定されない。例えば、照明ランプの光源として、レーザーダイオード、有機ＥＬ（Ｅｌｅｃｔｒｏ−Ｌｕｍｉｎｅｓｃｅｎｃｅ）、および蛍光ランプのいずれかを用いてもよいし、光を発するものであれば、これら以外のものを用いてもよい。
【００４９】
また、上記実施の形態１〜実施の形態４で示した照明ランプは、この照明ランプの口金に嵌合するソケットおよび１つあるいは複数の照明ランプを収容する筐体と組み合わされて、照明装置を構成することができる。図７は、実施の形態１〜実施の形態４に係る照明ランプが適用された照明装置の構成を示す断面図である。図７に示すように、照明装置１５０は、照明ランプ１００を内包する器具本体１５１と、照明ランプ１００の口金部４（図１参照）が取り付けられるソケット１５２と、器具本体１５１内に設けられ照明ランプ１００から出射される光を反射するリフレクタ１５３とを備える。図７に例示する照明装置１５０は、天井１６０に形成された開口部に挿入され、天井１６０側から室内を照明する照明装置である。このような天井取り付け型の照明装置のほか、例えば、壁に設置される照明装置や卓上に載置される照明装置に、実施の形態１〜実施の形態４で示した照明ランプを適用することができる。
【符号の説明】
【００５０】
１  光源、２  グローブ、３  筐体部、４  口金部、５  点灯回路、６  充填部材、７  封止部材、７ａ  封止部材、９  圧力弁、１０  ＬＥＤ、１１  ＬＥＤ基板、１２  第一内部空間、１３  第二内部空間、３０  樹脂筐体、３０ａ  樹脂筐体、３０ｂ  樹脂筐体、３０ｃ  樹脂筐体、３１  金属筐体、５０  回路部品、１００  照明ランプ、１５０  照明装置、１５１  器具本体、１５２  ソケット、１５３  リフレクタ、１６０  天井、３０１  筐体内面、３０２  筐体内面、３０３  凹部、３０４  凸部、３０５  受部、５０１  電解コンデンサ、５０２  回路基板。
【図１】
2014203727.tif 000003
【図２】
2014203727.tif 000004
【図３】
2014203727.tif 000005
【図４】
2014203727.tif 000006
【図５】
2014203727.tif 000007
【図６】
2014203727.tif 000008
【図７】
2014203727.tif 000009